(57)【要約】【課題】真空下であっても、変形しないバックライトユニット、およびそれを搭載する液晶表示装置を提供する。【解決手段】発光ユニット２９が、バックライトフレーム３１内の収容空間ＩＳに収容され、その発光ユニット２９と収容空間ＩＳに接するバックライトフレーム３１の一部との間に、第１固定テープ４１・第２固定テープ４２が架け渡ることで、その空間は閉ざされる。そして、この空間の内外に通じる導通路ＧＰが、第１固定テープ４１に形成される。【選択図】図１
2009026713.tif 000002
【特許請求の範囲】
【請求項１】
収容空間を有するフレームと、
光源の光を面状光に変化させて出射する発光ユニットと、
上記フレーム内の収容空間に収容される上記発光ユニットの少なくとも縁部分から上
記フレームの一部に至るまでを架け渡る接着部材と、
上記の接着材、発光ユニット、およびフレームによって囲まれた閉空間の内外に通ず
る曲折状の導通路と、
を含むバックライトユニット。
【請求項２】
上記導通路は、曲折箇所を少なくとも１箇所以上含んでいる請求項１に記載のバックライトユニット。
【請求項３】
上記導通路が複数あり、対向配置になる導通路同士の組み合わせが少なくとも１つは存在する請求項１または２に記載のバックライトユニット。
【請求項４】
上記導通路は、上記接着部材に形成されている請求項１〜３のいずれか１項に記載のバックライトユニット。
【請求項５】
上記接着部材は、
上記発光ユニットの光出射側の少なくとも縁部分から上記収容空間に接する上記フレームの一部に至るまでを架け渡る第１接着部材、および
上記光出射側の裏側に位置する発光ユニットの非光出射側の少なくとも縁部分から上記収容空間に接する上記バックライトフレームの一部に至るまでを架け渡る第２接着部材、
であり、
上記導通路は、上記の第１接着部材および第２接着部材の少なくとも一方に形成されている請求項４に記載のバックライトユニット。
【請求項６】
上記発光ユニットは、
光源からの光を受光する導光板と、
上記導光板の底面から漏れる光を導光板に戻すように反射させる反射部材と、
上記導光板の光出射面から進行してくる光を拡散させる拡散部材と、
上記拡散部材から進行してくる光の放射特性を偏向させる偏向部材と、
を含み、かつ、上記の反射部材、導光板、拡散部材、および偏向部材をこの順で積み重ねており、
上記発光ユニットの光出射側の少なくとも縁部分は、上記偏向部材の縁部分であり、
上記発光ユニットの非光出射側の少なくとも縁部分は、上記導光板の縁部分または上記反射部材の縁部分である、
請求項５に記載のバックライトユニット。
【請求項７】
上記発光ユニットは、
光源からの光を受光する導光板と、
上記導光板の底面から漏れる光を導光板に戻すように反射させる反射部材と、
上記反射部材を保護する保護部材と、
上記導光板の光出射面から進行してくる光を拡散させる拡散部材と、
上記拡散部材から進行してくる光の放射特性を偏向させる偏向部材と、
を含み、かつ、上記の保護部材、反射部材、導光板、拡散部材、および偏向部材をこの順で積み重ねており、
上記発光ユニットの光出射側の少なくとも縁部分は、上記偏向部材の縁部分であり、
上記発光ユニットの非光出射側の少なくとも縁部分は、上記保護部材の縁部分である、
請求項５に記載のバックライトユニット。
【請求項８】
上記閉空間に接する上記フレームに、上記導通路が形成されている請求項１〜７のいずれか１項に記載のバックライトユニット。
【請求項９】
請求項１〜８のバックライトユニットと、
上記バックライトユニットからの光を受光する液晶表示パネルと、
を含む液晶表示装置。
【請求項１０】
上記液晶表示パネルに、タッチパネルまたは保護カバーパネルが取り付けられている請求項９に記載の液晶表示装置。
【発明の詳細な説明】
【技術分野】
【０００１】
本発明は、光（バックライト光）を発するバックライトユニット、および、そのバックライトユニットとバックライト光を受光する液晶表示パネルとを少なくとも含む液晶表示装置である。
【背景技術】
【０００２】
通常、液晶を用いた表示パネル（液晶表示パネル）では、液晶自体が自ら発光しない。そのため、液晶表示装置は、液晶表示パネルを背後から照射する照射装置（バックライトユニット）を含んでいる。
【０００３】
一例として、特許文献１のように、バックライトユニットのバックライトフレームと、拡散シート等のシート類の一端とを固定テープを介してつなげたバックライトユニットが挙げられる。詳説すると、かかるバックライトユニットでは、積み重なった拡散シートや光学シート等のシート類の最上部の縁（すなわち枠状の周囲）と、バックライトフレームとが、枠状の固定テープを介してつながっている。
【０００４】
そのため、かかるバックライトユニットは、バックライトフレームに対してシート類を確実に固定でき、シート類のずれを防止できる。また、シート類に到達しようとする塵や埃等の異物は、枠状の固定テープによって遮られる。そのため、シートル類、さらには、シート類を支える導光板に対し、異物が付着しにくい。その結果、導光板等に付着した異物に起因するバックライト光の品位低下（輝度ムラ等）が起きにくい。
【特許文献１】特開２００１−９１９４５号公報
【発明の開示】
【発明が解決しようとする課題】
【０００５】
ところで、特許文献１同様に、枠状の固定テープを用いたバックライトユニット、さらに、そのバックライトユニットからの光を受光する液晶表示パネルを含む液晶表示装置の一例は、図１２のような断面図で示される。
【０００６】
この液晶表示装置１６９では、バックライトフレーム１３１内の収容空間ｉｓに、導光板１２２およびシート類１２８を含む発光ユニット１２９が収容され、その発光ユニット１２９における最上部の縁・最下部の縁（枠状の縁）と、バックライトフレーム１３１の一端との間に、固定テープ１４１・１４２が架け渡る（発光ユニット１２９とバックライトフレーム１３１との隙間の一部を固定テープ１４１・１４２が埋める）。その結果、発光ユニット１２９は、固定テープ１４１・１４２にて密閉された空間に位置する。
【０００７】
そして、このような液晶表示装置１６９が、製造過程で、真空下に置かれると、バックライトユニット１６２、ひいては液晶表示装置１６９の変形という問題が生じる。
【０００８】
一般的に、液晶表示パネル１６１に、タッチパネルや保護カバーが貼り付けられる場合、タッチパネルと液晶表示パネル１６１との間での気泡の発生を防止すべく、真空下にて貼り付け工程が行われる。しかしながら、真空下において、密閉された空間が存在すると、その内部の空気が膨張してしまう。
【０００９】
すると、図１３に示すように、空気の膨張に伴い発光ユニット１２９が変形し、ひいてはバックライトユニット１６２が変形する。そのため、かかる変形に起因して、バックライトフレーム１３１に対する液晶表示パネル１６１の取り付け強度が弱くなり得る。
【００１０】
また、バックライトユニット１６２の変形にともなって、液晶表示パネル１６１、ひいては液晶表示装置１６９自体までも変形しかねない。すると、液晶表示パネル１６１に対してタッチパネル等が取り付けにくくなる。
【００１１】
本発明は、上記の状況を鑑みてなされたものである。そして、本発明の目的は、真空下であっても、変形しないバックライトユニット、およびそれを搭載する液晶表示装置を提供することにある。
【課題を解決するための手段】
【００１２】
バックライトユニットは、収容空間を有するフレームと、光源の光を面状光に変化させて出射する発光ユニットと、フレーム内の収容空間に収容される発光ユニットの少なくとも縁部分からフレームの一部に至るまでを架け渡る接着部材と、接着材、発光ユニット、およびフレームによって囲まれた閉空間の内外に通ずる曲折状の導通路と、を含む。
【００１３】
このようになっていると、閉空間は、導通路の存在によって、完全に密閉された空間にはならない。そのため、かかるバックライトユニットが真空下に置かれたとしても、閉空間に滞留する空気は膨張しない。そのため、閉空間内の発光ユニット、ひいてはバックライトユニットは変形しない。
【００１４】
その上、導通路は曲折状になっているので、塵や埃等の異物が、導通路を通じて、閉空間に侵入しにくい。そのため、発光ユニットには異物が付着せず、かかる発光ユニット（ひいてはバックライトユニット）からの光の品位は高くなる。
【００１５】
なお、閉空間への異物の侵入を確実に防止すべく、導通路は、曲折箇所を複数含むとよい。ただし、１箇所でも曲折箇所が導通路に含まれているだけでも、十分に異物侵入防止の役割が果たされる。したがって、導通路は、曲折箇所を少なくとも１箇所以上含んでいると望ましい。
【００１６】
また、導通路の数は単数であっても複数であってもよい。ただし、導通路が複数あるなら、対向配置になる導通路同士の組み合わせが少なくとも１つは存在していると望ましい。このようになっていると、真空下で、閉空間内の空気が効率よく抜けるからである。
【００１７】
なお、以上の導通路は、フレーム内の収容空間に収容される発光ユニットの縁から、フレームの一端までに架け渡る接着部材に形成されていると望ましい。
【００１８】
詳説すると、接着部材は、第１接着部材および第２接着部材を意味する。第１接着部材は、発光ユニットの光出射側の少なくとも縁部分から収容空間に接するフレームの一部に至るまでを架け渡る部材であり、第２接着部材は、光出射側の裏側に位置する発光ユニットの非光出射側の少なくとも縁部分から収容空間に接するバックライトフレームの一部に至るまでを架け渡る部材である。そして、導通路は、第１接着部材および第２接着部材の少なくとも一方に形成されていればよい。
【００１９】
ところで、発光ユニットに含まれる部材は多種多様である。例えば、光源からの光を受光する導光板と、その導光板の底面から漏れる光を導光板に戻すように反射させる反射部材と、導光板の光出射面から進行してくる光を拡散させる拡散部材と、その拡散部材から進行してくる光の放射特性を偏向させる偏向部材と、を含み、かつ、反射部材、導光板、拡散部材、および偏向部材をこの順で積み重ねておりバックライトユニットが一例に挙げられる。
【００２０】
なお、このような発光ユニットであれば、発光ユニットの光出射側の少なくとも縁部分は、偏向部材の縁部分であり、発光ユニットの非光出射側の少なくとも縁部分は、導光板の縁部分または反射部材の縁部分であると望ましい。
【００２１】
また、光源からの光を受光する導光板と、その導光板の底面から漏れる光を導光板に戻すように反射させる反射部材と、その反射部材を保護する保護部材と、導光板の光出射面から進行してくる光を拡散させる拡散部材と、その拡散部材から進行してくる光の放射特性を偏向させる偏向部材と、を含み、かつ、保護部材、反射部材、導光板、拡散部材、および偏向部材をこの順で積み重ねている発光ユニットであってもよい。
【００２２】
なお、このような発光ユニットであれば、発光ユニットの光出射側の少なくとも縁部分は、偏向部材の縁部分であり、発光ユニットの非光出射側の少なくとも縁部分は、保護部材の縁部分であると望ましい。
【００２３】
また、閉空間に接するフレームに、導通路が形成されていてもよい。要は、閉空間に接する部材（接着材またはフレーム等）に導通路が形成されていればよい。
【００２４】
なお、以上のバックライトユニットと、そのバックライトユニットからの光を受光する液晶表示パネルと、を含む液晶表示装置も本発明といえる。
【００２５】
また、以上の液晶表示装置の液晶表示パネルに、タッチパネルまたは保護カバーパネルが取り付けられていてもよい。
【発明の効果】
【００２６】
本発明によれば、バックライトユニットにおける発光ユニットは、密閉された空間に閉じこめられない。そのため、バックライトユニットの内部外部での気圧が同じになりやすく、気圧変動に起因してバックライトユニットが変形しない。
【００２７】
その上、発光ユニットを囲む閉空間は、曲折状の導通路を通じてしか外部につながらない。そのため、外部からの導通路を通じて異物が侵入しようとしても、その異物は曲折箇所にてとどまりやすい。その結果、発光ユニットに異物が付着しない。
【発明を実施するための最良の形態】
【００２８】
［実施の形態１］
実施の一形態について、図面に基づいて説明すれば、以下の通りである。なお、図面によっては便宜上、部材符号、ハッチング等を省略する場合もあるが、かかる場合、他の図面を参照するものとする。また、図面上での黒丸は紙面に対し垂直方向を意味する。
【００２９】
図１に示すように、液晶表示装置６９は、液晶表示パネル６１と、この液晶表示パネル６１に光（バックライト光）を発するバックライトユニット６２と、タッチパネル６３とを含んでいる。
【００３０】
ただし、液晶表示装置６９は、少なくとも液晶表示パネル６１と、バックライトユニット６２とを含んでいればよい。すなわち、液晶表示パネル６１、バックライトユニット６２、およびタッチパネル６３を含む液晶表示装置６９もあれば、液晶表示パネル６１、およびバックライトユニット６２を含む液晶表示装置６９もある。
【００３１】
液晶表示装置６９に含まれる液晶表示パネル６１は、バックライトユニット６２からの光（バックライト光）を受光することで表示機能を発揮するパネルである。そして、かかる液晶表示パネル６１は、アクティブマトリックス基板１１、対向基板１２、および偏光板１３（裏側偏光板１３ａ、表側偏光板１３ｂ）を含む。
【００３２】
アクティブマトリックス基板１１は、液晶を制御するＴＦＴ（Thin Film Transistor）等のスイッチング素子や、ソースライン、ゲートライン、画素電極等を含む基板である。一方、対向基板１２は、アクティブマトリックス基板１１に対向して位置する基板であり、カラー表示に要するカラーフィルタ等を含む（なお、ＴＦＴ、カラーフィルタ等は不図示）。そして、これらの基板同士１１・１２の周縁付近が、枠状のシール部材（不図示）を介して貼り合わされ、これらの隙間に液晶（不図示）が注入される。
【００３３】
偏光板１３（裏側偏光板１３ａ・表側偏光板１３ｂ）は、アクティブマトリックス基板１１および対向基板１２を挟持しており、バックライトユニット６２から供給されるバックライト光の振動を、特定方向に制限する。
【００３４】
そして、裏側偏光板１３ａは、バックライトユニット６２に面するアクティブマトリックス基板１１の一面（対向基板１２に貼り合った面の裏面）に貼り付けられる。一方、表側偏光板１３ｂは、対向基板１２の一面（アクティブマトリックス基板１１に貼り合った面の裏面）に貼り付けられる。
【００３５】
なお、以上の裏側偏光板１３ａ、アクティブマトリックス基板１１、対向基板１２、および表側偏光板１３ｂは、この順で積み重なる。そこで、この積み重なる方向を重なり方向Ｐと称する。
【００３６】
また、液晶表示パネル６１は、不図示のＦＰＣ（Flexible Printed Circuits）基板に実装されたＩＣ（Integrated Circuit；ドレインドライバー、ゲートドライバー等）の制御の下、ＴＦＴで液晶への印加電圧を制御し、かかる液晶を透過するバックライト光の透過率を変化させ、表示画像を調整する。
【００３７】
ただし、表示画像の制御は、ＴＦＴ方式に限定されるものではなく、ＳＴＮ（Super Twisted Nematic）方式であってもよい。また、液晶表示方式も縦電界方式であっても横電界方式のどちらであってもよい。
【００３８】
続いて、バックライトユニット６２について説明する。バックライトユニット６２は、液晶表示パネル６１に照射する面状光を生成する。かかるバックライトユニット６２は、ＬＥＤ（Light Emitting Diode）２１、導光板２２、反射シート２３、拡散シート２４、光学シート２５・２６、およびバックライトフレーム３１、第１固定テープ４１、第２固定テープ４２を含んでいる。
【００３９】
ＬＥＤ（光源、発光素子）２１は点状光源であり、導光板２２の側面に向けて光を出射する。また、光量確保のために、ＬＥＤ２１は複数で並列したアレイ状である（なお、並ＬＥＤ２１の並列方向を第１方向Ｄ１とする）。ただし、図面では一部のＬＥＤ２１のみを表示している。さらに、導光板２２への入光率の向上のために、導光板２２の側面の高さとＬＥＤ２１の発光面の高さとが一致している。
【００４０】
なお、ＬＥＤ２１は、ＦＰＣ基板２７を介して供給される電流によって駆動する。また、バックライトユニット６２の光源としてはＬＥＤ２１に限定されるものではなく、蛍光管等の他種の光源であってもよい。
【００４１】
また、図１では、導光板２２の４つの側面のうち１つの側面のみに、ＬＥＤ２１の光は入射しているが、これに限定されるものではない。すなわち、導光板２２の４つの側面の全部、または２つまたは３つの側面の面前に、ＬＥＤ２１が配置されていてもよい。
【００４２】
導光板２２は、側面をＬＥＤ２１の発光面に対向させることで、かかるＬＥＤ２１からの光を受光する。そして、受光された光は、導光板２２の内部でミキシングされ、面状光として天面（導光板２２の底面２２ａの裏面）から出射する。
【００４３】
なお、導光板２２の材質は特に限定されるものではないが、ポリカーボネートやポリメチルメタアクリレート等の透明樹脂であるとよい。また、図１では、平板状の導光板２２であるが、これに限定されるものではなく、楔状の導光板であってもよい。
【００４４】
反射シート（反射部材）２３は、導光板２２によって覆われるように位置する。そして、導光板２２の底面２２ａに面する一面が反射面である。そのため、この反射面が、ＬＥＤ２１からの光や導光板２２内部を伝搬する光を漏洩させることなく導光板２２に戻すように反射させる。なお、反射シート２３は、高反射な銀粒子を含む銀シートであってもよいし、同じく高反射な白色樹脂を含む樹脂シートであってもよい。
【００４５】
また、このようなシート状ではなく、白色樹脂等が導光板２２の底面２２ａに塗布されることで、その白色樹脂等が反射シート２３の役割を負担してもよい。また、導光板２２の底面２２ａにドットパターンやプリズムカット加工が施されることで、そのドットパターンやプリズムが反射シート２３の役割を負担してもよい。
【００４６】
拡散シート（拡散部材）２４は、導光板２２を覆うように位置し、導光板２２からの面状光を拡散させて、液晶表示パネル６１全域に光をいきわたらせる。
【００４７】
光学シート（偏向部材）２５・２６は、例えばシート面内に複数の線状プリズムを有し、そのプリズムによって光の放射特性を偏向させるシート（プリズムシート）であり、拡散シート２４を覆うように位置する（なお、光学シート２５・２６はこの順で積み重なっている）。そのため、この光学シート２５・２６は、拡散シート２４から進行してくる光を集光させ、単位面積あたりの発光輝度を向上させる。
【００４８】
なお、光学シート２５と光学シート２６とによって集光される各光の集光方向は交差する関係にある（すなわち、各光学シート２５・２６におけるプリズムの並列方向が交差する関係にある）。また、各プリズムの稜線が、画面（換言すると、第１方向Ｄ１または後述の第２方向Ｄ２）に対して斜めであってもよい（例えば、各プリズムの稜線と第１方向Ｄ１または第２方向Ｄ２との成す角度が４５°程度）。
【００４９】
また、バックライトユニット６２内の光学シート２５・２６および拡散シート２４の枚数は特に限定されない。また、光学シート２５・２６および拡散シート２４に加えて、偏光選択反射シートが、バックライトユニット６２に搭載されてもよい。
【００５０】
ところで、以上のＬＥＤ２１、導光板２２、反射シート２３、拡散シート２４、および光学シート２５・２６は、バックライト光を生成する主たる部材であることから、以降では発光ユニット２９と称する。また、発光ユニット２９は、反射シート２３、導光板２２、拡散シート２４、および光学シート２５・２６を、この順で積み重ねており、この積み重なる方向は、液晶表示パネル６１での重なり方向Ｐと一致している（なお、重なり方向Ｐと第１方向Ｄ１とに対して垂直な方向を第２方向Ｄ２と称する）。
【００５１】
バックライトフレーム（フレーム）３１は、枠状部材であり、発光ユニット２９等を枠内（枠内の収容空間ＩＳ）に収容する。なお、発光ユニット２９を収容したバックライトフレーム３１において、反射シート２３側を底面側、光学シート２６側を天面側と称する。
【００５２】
また、バックライトユニット６２に、液晶表示パネル６１が取り付けられると、バックライトフレーム３１は、液晶表示パネル６１を保持することになる。そこで、バックライトフレーム３１の内側面には、液晶表示パネル６１を保持する突起片３２が形成される。
【００５３】
詳説すると、突起片３２は、バックライトフレーム３１の内側面から突き出ることで枠状になっている。そして、突起片３２を境に、バックライトフレーム３１の天面側に向く突起片３２の一面が、液晶表示パネル６１を保持する（支える）第１保持面３３となる。また、バックライトフレーム３１の底面側に向く突起片３２の一面が、発光ユニット２９を保持する第２保持面３４になる（後述の図４〜図７も参照）。
【００５４】
第１固定テープ４１および第２固定テープ４２は、枠状であり両面に接着力を有している（いわゆる両面テープである）。そして、第１固定テープ４１は、一方の面（面４１ａ）を突起片３２の第１保持面３３に貼り付けることで、その第１保持面３３に固定される。また、第２固定テープ４２は、一方の面（面４２ａ）を突起片３２の第２保持面３４に貼り付けることで、その第２保持面３４に固定される。
【００５５】
ただし、第１固定テープ４１の外周は枠状の第１保持面３３の外周よりも小さく、内周は第１保持面３３の内周（枠内）よりも小さい。そのため、第１固定テープ４１の一部は、第１保持面３３の枠内に進出する。
【００５６】
また、バックライトフレーム３１の天面側に向く第１固定テープ４１の一面４１ｂ（面４１ａの裏面）に、液晶表示パネル６１（詳説すると、裏偏光板１３ａ）が貼り付くことで、その液晶表示パネル６１は、バックライトフレーム３１に固定される。
【００５７】
また、第２固定テープ４２の外周は枠状の第２保持面３４の外周よりも小さく、内周は第２保持面３４の内周（枠内）よりも小さい。そのため、第２固定テープ４２の一部は、第２保持面３４の枠内に進出する。
【００５８】
すると、第１保持面３３の枠内に進出した第１固定テープ４１の一部、第２保持面３４の枠内に進出した第２固定テープ４２の一部、および突起片３２の側面３５の接する空間が生じる。そして、この空間に、発光ユニット２９が収容される。
【００５９】
詳説すると、光学シート２６の表面（液晶表示パネル６１に向く面）の少なくとも縁部分が、第１保持面３３に貼られた第１固定テープ４１の面４１ａの一部に貼り付く（第１保持面３３の枠内に進出した第１固定テープ４１の一部分を含む面４１ａに貼り付く）。
【００６０】
また、導光板２２の底面２２ａの少なくとも縁部分が、第２保持面３４に貼られた第２固定テープ４２の面４２ａの一部に貼り付き（第２保持面３４の枠内に進出した第２固定テープ４２の一部分を含む面４２ａに貼り付き）、さらに、バックライトフレーム３１の底面側に向く第２固定テープ４２の一面４２ｂ（面４２ａの裏面）に、反射シート２３の少なくとも縁部分が貼り付く。
【００６１】
つまり、発光ユニット２９は、第１固定テープ４１の一面（面４１ａ）にてバックライトフレーム３１に固定された光学シート２６、第２固定テープ４２の両面（面４２ａ・面４２ｂ）にてバックライトフレーム３１に固定された導光板２２・反射シート２３、および光学シート２６と導光板２２とによって挟持される拡散シート２４・光学シート２５を含む。
【００６２】
なお、かかるように発光ユニット２９がバックライトフレーム３１に収容されると、突起片３２の側面３５、第１固定テープ４１の面４１ａ、光学シート２６、導光板２２、および第２固定テープ４２の面４２ａによって囲まれる空間（閉空間）ＣＳが生じる。
【００６３】
すなわち、発光ユニット２９が、バックライトフレーム３１内の収容空間ＩＳ（例えば、バックライトフレーム３１における枠内の空間）に収容され、その発光ユニット２９｛詳説すると、発光ユニット２９の厚み方向（シート類の積み重ね方向）における両端｝と収容空間ＩＳに接するバックライトフレーム３１の一部（突起片３２）との間に、第１固定テープ４１・第２固定テープ４２が架け渡ることで、その空間は閉ざされる。この閉ざされた空間が閉空間ＣＳとなる。
【００６４】
詳説すると、発光ユニット２９の光出射側（例えば、光学シート２６の縁部分）と、収容空間ＩＳに接するバックライトフレーム３１の一部である枠状の突起片３２（例えば、第１保持面３３）との間に、第１固定テープ４１が架け渡る。
【００６５】
また、発光ユニット２９の非光出射側（例えば、導光板２２の縁部分）と収容空間ＩＳに接するバックライトフレームの突起片３２（例えば、第２保持面３４）との間に、第２固定テープ４２が架け渡る。そして、これら第１固定テープ４１・第２固定テープ４２と、光学シート２６と、導光板２２と、突起片３２（詳説すると突起片３２のの側面３５）とで、囲まれる空間が閉空間ＣＳとなる。
【００６６】
続いて、タッチパネル６３について説明する。タッチパネル６３は、液晶表示パネル６１上に密着しつつ表示画像を透過させている。そして、その表示画像上のタッチパネル６３が触れられることで、所定動作の入力が実現する。
【００６７】
かかるタッチパネル６３は、導電膜（不図示）を有するフィルム５１、導電膜（不図示）を有するガラス板５２、およびドットスペーサ（不図示）を含む。タッチパネル６３では、フィルム５１とガラス板５２とが、互いの導電膜を対向させつつ、ドットスペーサを介して貼り合っている。
【００６８】
そして、対向した導電膜同士の間に電圧が印加された状態で、フィルム５１が押下されると、導電膜同士が接触しショートする。そこで、このショートする位置が検出されることをもって、その位置に対応する所定動作が入力される。
【００６９】
ここで、第１固定テープ４１および第２固定テープ４２について図２〜図５を用いて詳説する。なお、図２は図１における第１固定テープ４１の部分拡大図であり（図１の点線領域参照）、図３は図２を重なり方向Ｐからみた平面図である（矢印α参照）。
【００７０】
また、図４は、組み立てられた液晶表示装置６９が図３の固定テープでの線Ａ−Ａ’での断面にて視認される場合の断面図であり、図５は、組み立てられた液晶表示装置が図３の固定テープでの線Ｂ−Ｂ’での断面にて視認される場合の断面図である（ただし、便宜上、タッチパネル６３を省略）。
【００７１】
図２および図３に示すように、枠状の第１固定テープ４１には、その第１固定テープ４１の枠内と枠外とに通じるスリットＳＴが形成されている。そして、かかる第１固定テープ４１の両面（両方の接着面４１ａ・４１ｂ）の一方には液晶表示パネル６１（詳説すると、裏偏光板１３ａ）が貼り付けられ、他方には光学シート２６が貼り付けられる。
【００７２】
すると、スリットＳＴは、裏偏光板１３ａと光学シート２６とによって挟持される。そのため、スリットＳＴの側面ＳＳ１・ＳＳ２、裏側偏光板１３ａ、および光学シート２６によって囲まれる空洞が生じる。この空洞は、第１固定テープ４１の枠内と枠外とに通じる通路となるので、以降では導通路ＧＲと称する（図５参照）。
【００７３】
導通路ＧＲは、第１固定テープ４１の枠内と枠外とに通じていることから、閉空間ＣＳの空間内と空間外とにも通じる。さらに、この導通路ＧＲは、直線状ではなく、曲折状である（曲がりくねる形状、または、折れ曲がる形状である）。
【００７４】
このようになっていると、例えば、バックライトユニット６２に対し液晶表示パネル６１が真空下で取り付けられる場合、または、液晶表示パネル６１を取り付けたバックライトユニット６２（すなわち液晶表示装置６９）にタッチパネル６３が真空下で取り付けられる場合、に有効である。
【００７５】
通常、バックライトユニット６２に完全に密閉された空間が存在すると、その空間内の空気は真空下で膨張する。そのため、空間の体積が大きくなり、それに起因して、空間に接する部材、例えば発光ユニット２９が変形しやすい（撓みやすい）。そして、発光ユニット２９が変形してしまうと、バックライトユニット６２までも変形する。
【００７６】
また、液晶表示パネル６１とバックライトユニット６２とを含む液晶表示装置６９において、バックライトユニット６２が変形してしまうと、液晶表示パネル６１、ひいては液晶表示装置６９自体までも変形する。
【００７７】
例えば、実験で、３０Ｐａで約１０秒真空引きしたり、１００Ｐａで約３分真空引きしたりすると、液晶表示装置６９は変形した。
【００７８】
しかし、導通路ＧＲは、バックライトユニット６２における閉空間ＣＳの内外に通じている（図５の白色矢印参照）。そのため、かかる閉空間ＣＳは、完全密閉された空間にはならない。すると、閉空間ＣＳ内に滞留している空気は、真空下であっても膨張しない。
【００７９】
そのため、真空下でバックライトユニット６２に対し液晶表示パネル６１を取り付ける場合に、バックライトユニット６２は変形せず、そのバックライトユニット６２に液晶表示パネル６１が強固に取り付けられる（バックライトユニット６２の変形に起因して、液晶表示パネル６１がバックライトユニット６２に不安定に取り付けられるような事態はない）。
【００８０】
また、真空下で液晶表示パネル６１およびバックライトユニット６２を含む液晶表示装置６９に対しタッチパネル６３を取り付ける場合に、バックライトユニット６２、ひいては液晶表示パネル６１、さらには液晶表示装置６９が変形しない。そのため、液晶表示装置６９の液晶表示パネル６１にタッチパネル６３が強固に取り付けられる。また、真空下ゆえに、液晶表示パネル６１とタッチパネル６３との間に気泡等が発生せず、液晶表示パネル６１の画像品位も高くなる。
【００８１】
その上、導通路ＧＲは曲折している。このように曲折していると、閉空間ＣＳの外部から内部に塵や埃等の異物が侵入しようとしても、異物は導通路ＧＲにおける曲折箇所ＴＰに引っかかる（図２および図３参照）。そのため、発光ユニット２９に、異物等が付着しない。その結果、発光ユニット２９からの光、ひいてはバックライトユニット６２としてのバックライト光に、異物等に起因する暗部が発生しない（バックライト光が輝度ムラ等を生じない）。
【００８２】
なお、導通路ＧＲにおける曲折箇所ＴＰの数は、単数でも複数であってもかまわない。また、導通路ＧＲの径のサイズも特に限定されるものではなく、適宜変更してよい。
【００８３】
また、導通路ＧＲの数も単数でも複数であってもかまわない。さらに、導通路ＧＲの数が複数ある場合、それらの位置も特に限定はされない。ただし、導通路同士ＧＲ・ＧＲが対向していれば、効率よく閉空間ＣＳ内の空気が抜ける。したがって、対向配置になる導通路ＧＲ・ＧＲの組み合わせが少なくとも１つは存在していると望ましい。
【００８４】
［その他の実施の形態］
なお、本発明は上記の実施の形態に限定されず、本発明の趣旨を逸脱しない範囲で、種々の変更が可能である。
【００８５】
例えば、第１固定テープ４１および第２固定テープ４２が遮光性を有していてもよい。例えば、光学濃度（ＯＤ値）５以下の第１固定テープ４１および第２固定テープ４２であってもよい。
【００８６】
また、第１固定テープ４１および第２固定テープ４２は、枠内に光透過性樹脂を含ませることで、枠状ではなく矩形状になっていてもよい。そして、この光透過性部分の両面に接着性があってもよい。
【００８７】
また、導通路ＧＲの位置は、第１固定テープ４１に限定されず、他の部材に位置してもよい。例えば、導通路ＧＲは、第２固定テープ４２に形成されていてもよい（図６の断面図参照）。なぜなら、第２固定テープ４２に導通路ＧＲが形成されていても、かかる導通路ＧＲは、閉空間ＣＳの内外に通じるためである（図６の白色矢印参照）。
【００８８】
もちろん、第１固定テープ４１および第２固定テープ４２の両方に、導通路ＧＲが形成されていてもよい。要は、閉空間ＣＳに接する第１固定テープ４１および第２固定テープ４２の少なくとも一方に、導通路ＧＲが形成されていればよい。
【００８９】
また、第１固定テープ４１および第２固定テープ４２のような部材に導通路ＧＲを形成することは、比較的容易である。そのため、例えば、真空引きでのプロセス（空気の流量や流速）に応じて、導通路ＧＲの数、径のサイズ、または曲折箇所ＴＰの数等の設計変更が容易に行える。
【００９０】
さらに、第１固定テープ４１および第２固定テープ４２のような部材に導通路ＧＲを形成するならば、あえて、導通路ＧＲを有する別部材をバックライトユニット６２内に搭載しなくてもよい。そのため、バックライトユニット６２は比較的薄くなる。
【００９１】
また、図７に示すように、閉空間ＣＳに接する突起片３２、すなわちバックライトフレーム３１に、閉空間ＣＳの内外に通じる導通路ＧＲが形成されてもよい（図７の白色矢印参照）。すなわち、閉空間ＣＳに接する部材のどこかに、閉空間ＣＳの内外に通じる導通路ＧＲが形成されていればよい。したがって、閉空間ＣＳに接する第１固定テープ４１・第２固定テープ４２、および突起片３２を含むバックライトフレーム３１の少なくとも１箇所に、導通路ＧＲがあればよい。
【００９２】
なお、第１固定テープ４１および第２固定テープ４２、またはバックライトフレーム３１に形成される導通路ＧＲは、スリットＳＴによって形成されてもよいし（図２参照）、溝ＤＨによって形成されてもよいし（図８参照）、さらには、開孔によって形成されてもよい。
【００９３】
また、導通路ＧＲは、第１固定テープ４１等の面内に対して平行方向に形成されていなくてもよい。すなわち、図９に示すように、第１固定テープ４１の厚み方向に形成されてもよい。
【００９４】
ところで、第１固定テープ４１の貼り付けられる対象は、発光ユニット２９の光学シート２６に限定されるものではない。例えば、第１固定テープ４１の一面４１ｂが光学シート２６、裏側の面４１ａが光学シート２５に貼り付いていてもよい（ただし、かかる場合、バックライトフレーム３１と液晶表示パネル６１とをつなげる工夫が必要になる）。
【００９５】
また、第２固定テープ４２の貼り付けられる対象も、発光ユニット２９の導光板２２・反射シート２３に限定されるものではない。例えば、図１０に示すように、第２固定テープ４２の一面４２ａが反射シート２３の底面を支えるように貼り付き、反射シート２３上に導光板２２が積み重なってもよい（この場合、第２固定テープ４２の面４２ｂは接着力を有さなくてよい）。なお、このようなバックライトユニット２９にあって、第１固定テープ４１だけではなく第２固定テープ４２に、導通路ＧＲが形成されていてもよい。
【００９６】
また、図１１に示すように、反射シート２３の底面（非反射面）を覆うことで保護する保護シート（保護部材）２８が、発光ユニット２９に含まれていてもよい。そして、このような発光ユニット２９を含むバックライトユニット６２では、第２固定テープ４２の一面４２ａが保護シート２８の底面を支えるように貼り付き、保護シート２８上に反射シート２３、導光板２２等が積み重なってもよい（この場合も、第２固定テープ４２の面４２ｂは接着力を有さなくてよい）。なお、このようなバックライトユニット２９にあって、第１固定テープ４１だけではなく第２固定テープ４２に、導通路ＧＲが形成されていてもよい。
【００９７】
要は、発光ユニット２９を、バックライトフレーム３１内の収容空間ＩＳ（枠内）に収容するとともに、発光ユニット２９とその収容空間ＩＳに接するバックライトフレームの一部（突起片３２）との間に第１固定テープ４および第２固定テープ４２が架け渡ることで、その空間ＩＳを閉ざされた閉空間ＣＳにできればよい。
【００９８】
詳説すると、発光ユニット２９の光出射側（発光ユニット２９の厚み方向における両端の一方側）の少なくとも縁部分からバックライトフレーム３１の一部（突起片３２等）に至るまでの隙間が、第１固定テープ４１によって塞がれ、発光ユニット２９の非光出射側（発光ユニット２９の厚み方向における両端の他方側）の縁からバックライトフレーム３１の一部に至るまでの隙間が、固定テープ４５によって塞がれる。そして、発光ユニット２９および突起片３２を介して向かい合う第１固定テープ４１と第２固定テープ４２との間を含む空間が閉空間ＣＳになっているとよい。
【００９９】
そして、図５、図６、図９、および図１０に示されるようなバックライトユニット６２であれば、発光ユニット２９の光出射側の少なくとも縁部分は、光学シート２６の縁部分であり、発光ユニット２９の非光出射側の少なくとも縁部分は、導光板２２の縁部分または反射シート２３の縁部分である。
【０１００】
また、図１１に示されるようなバックライトユニット６２であれば、発光ユニット２９の光出射側の少なくとも縁部分は、光学シート２６の縁部分であり、発光ユニット２９の非光出射側の少なくとも縁部分は、保護シート２８の縁部分である。
【０１０１】
また、液晶表示装置６９にタッチパネル６３が含まれる例を挙げて説明してきたが、これに限定されるものではない。導通路ＧＲを含むバックライトユニット６２は、タッチパネル６３ではなく、液晶表示パネル６１の表示面に対する保護カバーパネルの貼り付けにも有用である。
【０１０２】
なぜなら、保護カバーを取り付けられる液晶表示パネル６１が、導通路ＧＲを含むバックライトユニット６２からのバックライト光を受光する液晶表示装置６９であれば、その液晶表示装置６９が、保護カバーパネルの取付工程にて真空下に置かれたとしても、バックライトユニット６２、ひいては液晶表示装置６９が変形しないためである。また、真空下ゆえに、液晶表示パネル６１と保護カバーパネルとの間に気泡等が発生せず、液晶表示パネル６１の画像品位も高くなる。
【図面の簡単な説明】
【０１０３】
【図１】は、液晶表示装置の分解斜視図である。
【図２】は、図１の点線領域に含まれる固定テープの拡大斜視図である。
【図３】は、図２を重なり方向からみた平面図である。
【図４】は、組み立てられた液晶表示装置が、図３の固定テープでの線Ａ−Ａ’での断面にて、視認される場合の断面図である（ただし、便宜上、タッチパネルを省略）。
【図５】は、組み立てられた液晶表示装置が、図３の固定テープでの線Ｂ−Ｂ’での断面にて、視認される場合の断面図である（ただし、便宜上、タッチパネルを省略）。
【図６】は、図４および図５の別例であり、第２固定テープに導通路が形成されている液晶表示装置の断面図である。
【図７】は、図４〜図６の別例であり、閉空間に接するバックライトフレームに導通路が形成されている液晶表示装置の断面図である。
【図８】は、図２の他の一例を示す固定テープの拡大断面図である。
【図９】は、図４〜図７の別例であり、導通路が第１固定テープに厚み方向（第１固定テープの厚み方向）に沿って形成されている液晶表示装置の断面図の一例である。
【図１０】は、図４〜図７、および図９の別例であり、第２固定テープが反射シートの底面に貼り付いている液晶表示装置の断面図である。
【図１１】は、図４〜図７、および図９・図１０の別例であり、発光ユニットに保護シートが含まれている液晶表示装置の断面図である。
【図１２】は、従来の液晶表示装置の断面図である。
【図１３】は、変形した発光ユニットを含む従来の液晶表示装置の断面図である。
【符号の説明】
【０１０４】
２１    ＬＥＤ（光源）
２２    導光板
２３    反射シート（反射部材）
２４    拡散シート（拡散部材）
２５    光学シート（偏向部材）
２６    光学シート（偏向部材）
２７    ＦＰＣ基板
２８    保護シート（保護部材）
２９    発光ユニット
３１    バックライトフレーム（フレーム）
ＩＳ    バックライトフレームの収容空間
３２    突起片
３３    突起片の一面である第１保持面
３４    突起片の一面である第２保持面
３５    突起片の一面である側面
４１    第１固定テープ（第１接着部材）
４１ａ  第１固定テープの一面
４１ｂ  第１固定テープの一面
４２    第２固定テープ（第２接着部材）
４２ａ  第２固定テープの一面
４２ａ  第２固定テープの一面
ＳＴ    スリット
ＳＳ１  スリットの側面
ＳＳ２  スリットの側面
ＧＲ    導通路
ＴＰ    曲折箇所
ＣＳ    閉空間
Ｐ    重なり方向
Ｄ１    第１方向
Ｄ２    第２方向
６１    液晶表示パネル
６２    バックライトユニット
６３    タッチパネル
６９    液晶表示装置
【図１】
2009026713.tif 000003
【図２】
2009026713.tif 000004
【図３】
2009026713.tif 000005
【図４】
2009026713.tif 000006
【図５】
2009026713.tif 000007
【図６】
2009026713.tif 000008
【図７】
2009026713.tif 000009
【図８】
2009026713.tif 000010
【図９】
2009026713.tif 000011
【図１０】
2009026713.tif 000012
【図１１】
2009026713.tif 000013
【図１２】
2009026713.tif 000014
【図１３】
2009026713.tif 000015